(57)【特許請求の範囲】
【請求項１】
釣竿に接続したテグス糸に接続される送信機と、前記釣竿に装着された受信機と、該受信機に接続された表示装置とからなり、前記送信機は、ケースの一端に装着した超音波振動子と、該超音波振動子に信号を印加し、反射エコー信号を受信する超音波送受信機と、該超音波送受信機のからの反射エコー信号をメモリで記憶してデジタル信号に変換する信号処理回路と、該信号処理回路からのデジタル信号を横波に変換するために前記テグス糸に接続された信号−振動変換装置とからなり、又、前記受信機は、前記釣竿の所定の部分に装着したマイクロホンからなることを特徴とする水中探査装置。
【請求項２】
前記信号−振動変換装置は前記ケースに装着され、かつ前記信号処理回路からの信号が入力されるコイルと、該コイルに挿入される磁石と、該磁石を固定し、かつ一端が前記ケースに固着され、他端が前記テグス糸に連結される弾性部材とからなることを特徴とする請求項１記載の水中探査装置。
【請求項３】
前記信号−振動変換装置は前記ケースに一端が固着され、かつ他端に前記テグス糸が接続されることを特徴とする請求項１記載の水中探査装置。
【請求項４】
前記信号−振動変換装置は、前記ケースに固定されたモータの回転軸に偏心した重りを装着したことを特徴とする請求項１記載の水中探査装置。
【請求項５】
前記送信機の超音波振動子に近づいたり離れたりする魚を色の異なる表示灯で表示することを特徴とする請求項１記載の水中探査装置。
【請求項６】
前記送信機の超音波振動子から水底までの深さ及び魚群情報を音声で報知することを特徴とする請求項１記載の水中探査装置。
【発明の詳細な説明】
【０００１】
【産業上の利用分野】
本発明は、水底や水中の状態を簡単な装置で探査することができる水中探査装置に関するものである。
【０００２】
【従来の技術】
従来、水中の状態を探査する装置としては、船底又は船の舷側部に超音波振動子を装着し、この超音波振動子に送受信機から電気パルス信号を出力すると、超音波振動子から超音波が水中に発射され、水中からのエコーを超音波振動子で受信し、この受信したエコーによる電気信号を表示装置で表示するようにした魚群探知機が知られている。
【０００３】
【発明が解決しようとする課題】
しかしながら、このような魚群探知機では、船や岸壁に居る釣り人がそれぞれ自分の手元で自分の釣り針の周囲の水中の状態を見ることができないために、手探りで水底の深さや水中の状態を判断し、釣りを行うのが現状であった。
【０００４】
【課題を解決するための手段】
本発明は、釣竿に接続したテグス糸に接続される送信機と、前記釣竿に装着された受信機と、該受信機に接続された表示装置とからなり、前記送信機は、ケースの一端に装着した超音波振動子と、該超音波振動子に信号を印加し、反射エコー信号を受信する超音波送受信機と、該超音波送受信機のからの反射エコー信号をメモリで記憶してデジタル信号に変換する信号処理回路と、該信号処理回路からのデジタル信号を横波に変換するために前記テグス糸に接続された信号−振動変換装置とからなり、又、前記受信機は、前記釣竿の所定の部分に装着したマイクロホンからなるものであり、前記信号−振動変換装置は前記ケースに装着され、かつ前記信号処理回路からの信号が入力されるコイルと、該コイルに挿入される磁石と、該磁石を固定し、かつ一端が前記ケースに固着され、他端が前記テグス糸に連結される弾性部材とからなるものであり、さらに、前記信号−振動変換装置は前記ケースに一端が固着され、かつ他端に前記テグス糸が接続されるものであり、又、前記信号−振動変換装置は、前記ケースに固定されたモータの回転軸に偏心した重りを装着したものであり、さらに、前記送信機の超音波振動子に近づいたり離れたりする魚を色の異なる表示灯で表示するものであり、又、前記送信機の超音波振動子から水底までの深さ及び魚群情報を音声で報知するものである。
【０００５】
【実施の態様】
本発明によれば、送信機の超音波送受信機から超音波振動子に発振信号を出力すると、超音波振動子からの超音波が水中に発射され、その超音波の水中からのエコー受信して電気信号に変換し、この電気信号をを信号処理装置のメモリに一旦記憶してデジタル信号に変換し、この信号を信号−振動変換装置に入力すると、信号−振動変換装置に接続されたテグス糸に横波を発生し、この横波を釣竿に伝搬するので、釣竿に伝搬された横振動は縦振動に変換され、この縦振動は釣竿に装着したマイクロホンで音波として検出し、この音波を増幅器で増幅して画像処理装置に入力すると、画像処理装置から表示装置に画像信号が入力され、水中の状態を表示装置で表示することにより、簡単に水中の釣り針の周辺の状態を探査することができる。
【０００６】
【実施例】
図１は、本発明の実施例の構成図で、釣り人１が岸壁２から釣りをする場合、釣竿３の先端から水中４に垂らしたテグス糸５は送信機６の一端の連結部６ａが接続され、又、送信機６の他端の連結部６ｂにはテグス糸７及び釣り針８が接続され、この送信機６は水底９の近くにが下ろされ、又、釣竿３には、受信機１０が装着され、この受信機１０から信号でコード１１を介して表示装置１２に入力され、水中の状態を表示し、又、釣竿３には、テグス糸５を引き出したり、巻いたりするリール１３が装着されている。
【０００７】
図２は、図１の本発明の実施例の送信機の構成図で、ケース１４の内部には、信号−振動変換器１５の弾性部材１５ａの一端がビス等で固着され、この弾性部材１５ａの他端は連結部６ａに連結され、又、弾性部材１５ａの中間部分に磁石１５ｂが固着され、この磁石１５ｂにはケース１４に装着されたコイル１５ｃに挿入され、コイル１５ｃにデジタル信号が入力されると、テグス糸５を横に振らして横波を発生して伝搬し、又、送信機６のケース１４の内部には、メモリを内蔵した信号処理回路１６が装着され、さらに、信号処理回路１６の下部に超音波送受信機１７が装着され、又、超音波送受信機１７の下部に電池１８が装着され、さらに、ケース１４の端部に超音波振動子１９が装着されている。
【０００８】
図３は、図１の本発明の実施例の受信機の構成図で、釣竿３に固着された受信機１０はケース２０に振動−信号変換器としてマイクロホン２１が釣竿３と接触されるように装着され、又、ケース２０の内部に画像信号処理回路２２及び電池２３が装着され、さらに、ケース２０にプラグ端子２４が装着され、このプラグ端子２４にコード１１を介して表示装置１２が接続されている。
【０００９】
図４は、図１の実施例のブロック図で、超音波送受信機１７に超音波振動子１９が接続され、又、超音波送受信機１７に信号処理回路１６が接続され、信号処理回路１６に信号−振動変換器１５が接続され、この信号−振動変換器１５にテグス糸５が接続され、このテグス糸５は釣竿３に接続され、釣竿３に受信機１０の振動−信号変換器であるマイクロホン２０が接続され、マイクロホン２０に画像信号処理回路２２が接続され、さらに、画像信号処理回路２２に表示装置１２が接続されている。
【００１０】
このように構成された本実施例では、リール１３からテグス糸５を繰り出すことによって、送信機６が水中４に投入され、送信機６が水底９に近い深さに達すると、超音波送受信機１７から超音波振動子１９に発信信号が入力され、それによって、超音波振動子１９から超音波が発射され、この超音波は水底９及び水中の魚９ａ等で反射され、この反射エコーは再び超音波振動子１９で受信されて電気信号に変換され、この電気信号は信号処理回路１６の増幅器で増幅され、メモリに入力されて相関が取られ、適当な電圧の振動信号に変換されると、つまり、図５の（ａ）、（ｂ）、（ｃ）に示すように、超音波送受信機１７からの発信出力Ａ、魚からの反射信号Ｂ１、Ｂ２、水底からの反射信号Ｃのように変換されると、この変換された信号は信号−振動変換器１５のコイル１５ｃに入力され、それによって、弾性部材１５ａに固着された磁石１５ｂを振動し、テグス糸５に信号処理回路１６からの信号に応じた横波が発生される。
【００１１】
この横波はテグス糸５から釣竿３に伝搬されて縦波に変換されるので、この縦波は受信機１０の振動−信号変換器であるマイクロホン２１で受信され、この信号は画像信号処理回路２２で画像信号に処理され、表示装置１２の縦のラインに図５の発信出力Ａ、魚の反射信号Ｂ、水底からの反射Ｃに対応して表示され、この表示装置１２の画像を見を見ながらリール１３で送信機６を上下することにより、送信機６からの深さや魚９ａの位置を知ることができる。
【００１２】
なお、図６に示すように、表示装置１２を小さくすることができるので、釣竿３に受信機１０とともに表示装置１２を釣竿３に装着することができ、又、上記実施例では、超音波送受信機１７からの信号を信号−振動変換器１５の弾性部材１５ａの振動の回数に変換して送信したが、超音波送受信機１７からの信号を１、０のコード信号に変換して送信しても同様に表示することができ、さらに、信号−振動変換器１５の弾性部材１５ａの代わりに、圧電バイモルフを使用し、磁石１５ｃとコイル１５ｂを省くことができ、さらに、モータを送信機６のケース内に装着し、回転軸に偏心した重りを装着して回転しても、同様にテグス糸に横波を伝搬することができる。
【００１３】
図７は、本発明の受信機の他の実施例の構成図で、受信機１０のケース２０に例えば赤及び青のランプ２５、２６が装着され、又、受信機１０には画像信号処理回路２２以外にランプ２５、２６を点灯するランプ信号処理回路２７が装着され、このランプ信号処理回路２７では、図５の（ｄ）、（ｅ）に示すように、ドップラ効果を利用することにより、近づいてくる魚の場合、魚からの反射信号Ｂが図５の（ｄ）のようにある周波数の信号が検出されると、次の信号では図５の（ｅ）のように順次周波数が高くなるので、このように近づいてくる魚を例えば赤で表示し、又、魚が遠ざかる場合は、魚からの反射信号Ｂが図５の（ｆ）に示すような周波数が検出されると、次の信号では図５の（ｇ）に示すように周波数が低くなるので、これによって、魚が遠ざかっているのを例えば青を表示するように構成することができ、水中の状態とともに、魚９ａの移動状態も検知することができる。
【００１４】
図８は、本発明の他の実施例のブロック図で、３は釣竿、５はテグス糸、６は送信機、１０は受信機、１２は表示装置、１５は信号−振動変換器、１７は超音波送受信機、１９は超音波振動子、２０は振動−信号変換器であるマイクロホンであり、これらの構成は上記実施例と同じであるので説明は省略するが、本実施例では、送信機６の超音波送受信機１７からのエコー信号を「１、０」のコード信号に変換するコード変換装置２８を接続し、又、受信機１０のマイクロホン２０にコード逆変換器２９を接続し、このコード逆変換器２９に音声発生装置３０を接続する。
【００１５】
このように構成した本実施例では、送信機６の超音波送受信機１７からの信号をコード変換装置２８でコード化し、信号−振動変換器１５からコード信号を横波にして送信すると、受信機１０の振動−信号変換器であるマイクロホン２０でコード信号を受信し、受信したコード信号をコード逆変換器２９で音声信号に変換し、この音声信号によって音声発生装置３０から音声を発生することにより、送信機６から水底９までの深さを音声により知ることができる。
【００１６】
【発明の効果】
以上説明したように、本発明の水中探査装置では、テグス糸に信号−振動変換器、超音波振動子及び超音波送受信機を内蔵した送信機を接続し、送信機からの水中及び魚等の信号及びコード化された信号をテグス糸に横波で伝搬させ、テグス糸から釣竿に縦波で伝搬し、この伝搬された信号を受信機のマイクロホンで検出し、この検出された信号を画像信号に変換したり、コードから画像信号又は音声信号に変換して表示装置で表示したり、音声発生装置で深さ又は魚群情報を音声で発生することにより、水中の状態を非常に正確に探査することができるという利点がある。
【図面の簡単な説明】
【図１】  本発明の実施例の水中探査装置の構成図である。
【図２】  図１の実施例の送信機の構成図である。
【図３】  図１の実施例の受信機の構成図である。
【図４】  本発明の実施例の水中状態探査装置のブロック図である。
【図５】  本発明の動作を説明する送信機の信号−振動変換装置へ入力される信号の波形図である。
【図６】  図１の実施例の釣竿の平面図である。
【図７】  本発明の他の実施例の受信機の構成図である。
【図８】  本発明の他の実施例の水中状態探査装置のブロック図である。
【符号の説明】
１                  釣り人
２                  岸壁
３                  釣竿
４                  水中
５                  テグス糸
６                  送信機
８                  釣り針
９                  水底
９ａ                魚
１０                受信機
１１                コード
１２                表示装置
１３                リール
１４                ケース
１５                信号−振動変換器
１５ａ              弾性部材
１５ｂ              磁石
１５ｃ              コイル
１６                信号処理回路
１７                超音波送信機
１８                電池
１９                超音波振動子
２０                ケース
２１                マイクロホン
２２                画像信号処理回路
２３                電池
２４                プラグ端子
【図１】
0003759797.tif 000002
【図２】
0003759797.tif 000003
【図３】
0003759797.tif 000004
【図４】
0003759797.tif 000005
【図５】
0003759797.tif 000006
【図６】
0003759797.tif 000007
【図７】
0003759797.tif 000008
【図８】
0003759797.tif 000009